(57)【要約】【目的】  乾電池式住宅用火災警報器より簡単に設置でき、維持管理は交流式住宅用火災警報器と同じ信頼性を確保し、新たな配線工事の必要がなく安価なものとする事ができる。【構成】  住宅用火災警報器にシーリングプラグを付け、天井のソケットに接続し電気を取り、住宅用火災警報器に付けたソケットに照明器具を取付ける。プラグが隠れたタイプの照明器具は、照明器具の天井に近い部分に住宅用火災警報器を内蔵させる。  壁掛式住宅用火災警報器は、条例の規定で、天井から５０ｃｍ以内の壁に設置しなければならない。そこで、住宅用火災警報器の本体にプラグを付け、エアコン用のコンセントから電気を取り、住宅用火災警報器に付けたコンセントにエアコンのプラグが差込めるようにする。【選択図】図５
2006221589.tif 000002
【特許請求の範囲】
【請求項１】
住宅用火災警報器の本体にプラグとソケットを付けることで、天井のソケットに直接接続ができ電気の供給を受けられると共に照明器具を接続する事ができる。
【請求項２】
照明器具と住宅用火災警報器を一体化し、照明器具を天井に取付けるだけで、住宅用火災警報器の機能を確保する。
【請求項３】
住宅用火災警報器にプラグを付け、エアコン用コンセントから電気を取り、住宅用火災警報器に付けたコンセントからエアコンに電気を供給する。
【発明の詳細な説明】
【発明の詳細な説明】
【産業上の利用分野】
【０００１】  本発明のコネクタ付住宅用火災警報器は、乾電池式住宅用火災警報器より簡単に取付けができ、電池交換などのメンテナンスの必要もない上、新たな配線工事も必要ないので、住宅用火災警報器の普及に役立つ。
【背景技術】
【０００２】  住宅用火災警報器を大きく分けると２種類となる。１つは、乾電池式で比較的安価であり、素人でも容易に取付けることができるが、電池の寿命が単三電池では約１年しかないことから、維持管理を怠ると機能が失われることになる。【０００３】  もう１つは、交流電気式で一度設置すると、電池の取替えなどのメンテナンスは必要ないが、電気工事士による配線工事が必要となるので、各居室、台所、階段に取付けるとなると、工事費が膨大なものとなる。
【発明が解決しようとする課題】
【０００４】  新たな配線工事の必要がなく、素人でも簡単に取付けができると共に、一度取付ければ恒久的に使用でき、電池交換などのメンテナンスの必要がないこと。又、値段を安く抑えること。
【課題を解決するための手段】
【０００５】  住宅用火災警報器にシーリングプラグを付け、天井のシーリングソケットに接続し電気の供給を受ける。住宅用火災警報器にシーリングソケットを付け照明器具が取付けられるようにする。
【０００６】  プラグが隠れたタイプの照明器具は、照明器具の天井に近い部分に住宅用火災警報器を内蔵させる。
【０００７】  壁掛式住宅用火災警報器に、コンセントとプラグを付け、エアコン用のコンセントから電気の供給を受ける共にエアコンのプラグを接続できるようにする。
【０００８】  これにより、新たな配線工事をする必要ない上、簡単に接続ができ、今まで使用していた照明器具、エアコンがそのまま使用できるものである。
【作用】
【０００９】  ソケット式のコネクタ付住宅用火災警報器は、天井側にシーリングプラグが付いており天井のシーリングソケットに接続でき電気の供給が受けられる。床面側にはシーリングソケットが付いており照明器具が取付けられる。
【００１０】  プラグが隠れたタイプの照明器具は、照明器具の天井に近い部分に住宅用火災警報器を内蔵させる。
【００１１】  住宅用火災警報器が、照明器具の真上に設置される事となるが、煙感知器のため照明器具の熱の影響は受けないものである。
【００１２】  コンセント式のコネクタ付住宅用火災警報器は、エアコン用のコンセントに接続し電気の供給を受け、エアコンのプラグが差込めるように表側にコンセントを設けたものである。
【００１３】これは、壁掛式住宅用火災警報器が天井から５０ｃｍ以内の壁に設置しなければならないと条例の規定があり、エアコンのコンセントの位置が、どの家でも概ね天井から５０ｃｍ以内にあることから、エアコンのコンセントを利用するものである。
【実施例】
【００１４】  以下、添付図面に従って実施例を説明する。図１から図５は、住宅用火災警報器がソケットの横に付くタイプのソケット式コネクタ付住宅用火災警報器である。図１は表側の平面図、図２、図４は側面図、図３は裏側の平面図である。１は照明器具を接続させるためのシーリングソケットである。２は住宅用火災警報器で、３が煙感知器の煙流入口である。４は天井に設置してあるシーリングソケットに接続するためのシーリングプラグである。図５は照明器具を取付けた状態である。【００１５】図６から図１０は、住宅用火災警報器がソケットの正面に付くタイプのソケット式コネクタ付住宅用火災警報器である。図６は表側の平面図、図７は側面図、図８は裏側の平面図である。図９は断面図である。１は照明器具を接続させるためのシーリングソケット、２は住宅用火災警報器、３は煙感知器の煙流入口である。４は天井に設置してあるシーリングソケットに接続するためのシーリングプラグである。図１０は照明器具を取付けた状態である。図１１は照明器具の天井に近い部分に住宅用火災警報器を内蔵させたものである。【００１６】  図１２から図１４は、コンセント式コネクタ付住宅用火災警報器である。図１２は表側の平面図、図１３は側面図、図１４は設置した状態である。２は住宅用火災警報器、３は煙感知器の煙流入口、５はエアコン用コンセント、６はプラグである。
【発明の効果】
【００１７】  日本は年々高齢化が進み、住宅火災による高齢者の焼死者が急増するにいたって、ついに、東京都では新築の住宅・アパートに対し、住宅用火災警報器の義務設置を条例化し、平戍１６年１０月１日付けで施行した。国においても、消防法を改正し新築の住宅・アパートに対し、住宅用火災警報器の義務設置が法令化され、平成１８年６月１日から施行されることとなった。その上、平成１８年６月１日から早くて２年以内、遅くても５年以内に既存の住宅・アパートに対しても住宅用火災警報器の設置が義務となることとなった。ところが、高齢者等にとって乾電池式の住宅用火災警報器の設置、電池交換などの適切な維持管理、又、交流電源式の住宅用火災警報器の場合では高額な工事費などから、なかなか普及しないのが現状である。
【００１８】    本発明のプラグ付住宅用火災警報器、コンセント付住宅用火災警報器は、乾電池式の住宅用火災警報器より簡単に設置でき、交流電気式住宅用火災警報器と同じ維持管理の信頼性が確保でき、工事費もかからないことから住宅用火災警報器の普及に役立ち、火災による焼死者の軽減に寄与できるものである。
【図面の簡単な説明】
【００１９】
【図１】  横付きタイプのソケット式コネクタ付住宅用火災警報器の表側平面図
【図２】  横付きタイプのソケット式コネクタ付住宅用火災警報器の側面図
【図３】  横付きタイプのソケット付式コネクタ付住宅用火災警報器の裏側平面図
【図４】  横付きタイプのソケット式コネクタ付住宅用火災警報器の側面図
【図５】  横付きタイプのソケット式コネクタ付住宅用火災警報器の設置状況図
【図６】  正面付きタイプのソケット式コネクタ付住宅用火災警報器の表側平面図
【図７】  正面付きタイプのソケット式コネクタ付住宅用火災警報器の側面図
【図８】  正面付きタイプのソケット式コネクタ付住宅用火災警報器の裏側平面図
【図９】  正面付きタイプのソケット式コネクタ付住宅用火災警報器の断面図
【図１０】  正面付きタイプのソケット式コネクタ付住宅用火災警報器の設置状況図
【図１１】  住宅用火災警報器を照明器具に内蔵した状況図
【図１２】  コンセント式コネクタ付住宅用火災警報器の表側平面図
【図１３】  コンセント式コネクタ付住宅用火災警報器の側面図
【図１４】  コンセント式コネクタ付住宅用火災警報器の設置状況図
【符号の説明】
【００２０】１  住宅用火災警報器に付けたシーリングソケット
２  住宅用火災警報器
３  煙感知器の煙流入口
４  住宅用火災警報器に付けたシーリングプラグ
５  住宅用火災警報器に付けたエアコン用コンセント
６  住宅用火災警報器に付けたプラグ
【図１】
2006221589.tif 000003
【図２】
2006221589.tif 000004
【図３】
2006221589.tif 000005
【図４】
2006221589.tif 000006
【図５】
2006221589.tif 000007
【図６】
2006221589.tif 000008
【図７】
2006221589.tif 000009
【図８】
2006221589.tif 000010
【図９】
2006221589.tif 000011
【図１０】
2006221589.tif 000012
【図１１】
2006221589.tif 000013
【図１２】
2006221589.tif 000014
【図１３】
2006221589.tif 000015
【図１４】
2006221589.tif 000016
【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
壁掛式住宅用火災警報器本体にプラグを取付け、コンセントに直接差込んで電気を得られるようすると共に壁掛式住宅用火災警報器本体にエアコン用のコンセントを取付けエアコンのプラグを差込めるようにする。
【手続補正２】
【補正対象書類名】明細書
【補正対象項目名】全文
【補正方法】変更
【補正の内容】
【発明の詳細な説明】
【技術分野】
【０００１】  本発明のコンセント付壁掛式住宅用火災警報器は、エアコン用のコンセントを利用する。このため、エアコンのコンセントを確保するため、壁掛式住宅用火災警報器本体にコンセントを設けたものである。
コンセント付壁掛式住宅用火災警報器は、簡単に設置ができ電池交換などのメンテナンスの必要もない。また、既設のコンセントを使用するので、新たな配線工事やコンセントの増設が必要ないことから住宅用火災警報器の普及に役立つ。
【課題を解決するための手段】
【０００２】  壁掛式住宅用火災警報器の設置位置は、条例の規定により天井から５０ｃｍ以内の高さの壁としなければならないので、天井から５０ｃｍ以内の壁に設けられている場合が多いエアコン用のコンセントを利用する。
エアコン用のコンセントを使用してしまうため、壁掛式住宅用火災警報器本体にコンセントを設け、エアコンのプラグを差込めるようにする。
【背景技術】
【０００３】  住宅用火災警報器を大きく分けると２種類となる。１つは、乾電池式で比較的安価であり、素人でも容易に取付けることができるが、電池の寿命が単三電池では約１年しかないことから、維持管理を怠ると機能が失われることになる。【０００４】  もう１つは、交流電気式で一度設置すると、電池の取替えなどのメンテナンスは必要ないが、電気工事士による配線工事が必要となるので、各居室、台所、階段に取付けるとなると、工事費が膨大なものとなる。
【発明が解決しようとする課題】
【０００５】  新たな配線工事の必要がなく、素人でも簡単に取付けができると共に、一度取付ければ恒久的に使用でき、電池交換などのメンテナンスの必要がないこと。又、値段を安く抑えられること。
【作用】
【０００６】  コンセント付壁掛式住宅用火災警報器は、既設のエアコン用のコンセントを利用するが、壁掛式住宅用火災警報器本体にエアコン用のコンセントが付いているので、今まで使用していたエアコンもそのまま使用できる。
【実施例】
【０００７】  以下、添付図面に従って実施例を説明する。図１から図３は、コンセント付壁掛式住宅用火災警報器である。図１は設置状況図、図２は平面図、図３は側面図である。１は住宅用火災警報器、２は煙感知器の煙流入口、３はエアコン用コンセント、４はプラグである。
【発明の効果】
【０００８】  日本は年々高齢化が進み、住宅火災による高齢者の焼死者が急増するにいたって、ついに、東京都では新築の住宅・アパートに対し、住宅用火災警報器の義務設置を条例化し、平成１６年１０月１日付けで施行した。国においても、消防法を改正し新築の住宅・アパートに対し、住宅用火災警報器の義務設置が法令化され、平成１８年６月１日から施行されることとなった。その上、平成１８年６月１日から早くて２年以内、遅くても５年以内に既存の住宅・アパートに対しても住宅用火災警報器の設置が義務となることとなった。ところが、高齢者等にとって乾電池式の住宅用火災警報器の設置、電池交換などの適切な維持管理、又、交流電源式の住宅用火災警報器の場合では高額な工事費などから、なかなか普及しないのが現状である。
【０００９】    本発明のコンセント付壁掛式住宅用火災警報器は、乾電池式の住宅用火災警報器より簡単に設置でき、交流電気式住宅用火災警報器と同じ維持管理の信頼性が確保できるので、住宅用火災警報器の普及に役立ち、火災による焼死者の軽減に寄与できるものである。
【図面の簡単な説明】
【００１０】
【図１】コンセント付壁掛式住宅用火災警報器の設置状況図である。
【図２】コンセント付壁掛式住宅用火災警報器の平面図である。
【図３】コンセント付壁掛式住宅用火災警報器の側面図である。
【符号の説明】
【００１１】１  コンセント付壁掛式住宅用火災警報器
２  煙感知器の煙流入口
３  コンセント付壁掛式住宅用火災警報器に取付けたエアコン用のコンセント
４  コンセント付壁掛式住宅用火災警報器に取付けたプラグ
【手続補正３】
【補正対象書類名】図面
【補正対象項目名】全図
【補正方法】変更
【補正の内容】
【図１】
2006221589.tif 000017
【図２】
2006221589.tif 000018
【図３】
2006221589.tif 000019